(57)【要約】【課題】本発明はナビゲーション装置に関するもので、利便性を高めることを目的とするものである。【解決手段】そして、この目的を達成するために本発明は、本体ケース４と、この本体ケース４に設けた表示部５と、この表示部５に接続した制御部６と、この制御部６に接続した位置検出部、地図データ記憶部７、入力部８とを備え、前記入力部８は、特定行動の実行時間帯と、その実行時の選択種類物を入力する構成とし、前記制御部６は、前記実行時間帯において、前記表示部５に、近傍の選択種類物を表示する構成とした。【選択図】図３
2011203165.tif 000002
【特許請求の範囲】
【請求項１】
本体ケースと、この本体ケースに設けた表示部と、この表示部に接続した制御部と、この制御部に接続した位置検出部、地図データ記憶部、入力部とを備え、前記入力部は、特定行動の実行時間帯と、その実行時の選択種類物を入力する構成とし、前記制御部は、前記実行時間帯において、前記表示部に、近傍の選択種類物を表示する構成としたナビゲーション装置。
【請求項２】
入力部から入力する特定行動の実行時間帯として、食事の実行時間帯を入力し、選択種類物として食事メニューを入力し、前記制御部は、前記実行時間帯において、前記表示部に、近傍の食堂を表示する構成とした請求項１に記載のナビゲーション装置。
【発明の詳細な説明】
【技術分野】
【０００１】
本発明は、ナビゲーション装置に関するものである。
【背景技術】
【０００２】
ナビゲーション装置は、本体ケースと、この本体ケースに設けた表示部と、この表示部に接続した制御部と、この制御部に接続した位置検出部、地図データ記憶部、入力部とを備えた構成となっており、目的地の検索データに、営業時間帯をさらに加えることにより、利便性をさらに高めるものが提案されている（たとえば下記特許文献１）。
【先行技術文献】
【特許文献】
【０００３】
【特許文献１】特開平１０−８２６５２号公報
【発明の概要】
【発明が解決しようとする課題】
【０００４】
すなわち、従来のものは、目的地の検索をする場合に、その目的地の営業時間を考慮することができるようにしたものであり、これによれば目的地には着いたが、営業時間外ということはなくなるのである。
【０００５】
しかしながら、現実の行動として、例えば行楽地の食堂に向かうときに、その途中の道路状況などにより予定通りのドライブができないことはよく経験することで、折角上述した営業時間を考慮したドライブ予定を立てても、到着したときには、食堂は閉まっていたということもあり、さらに利便性を高めることが要望されている。
そこで、本発明は、利便性を高めることを目的とするものである。
【課題を解決するための手段】
【０００６】
そして、この目的を達成するために本発明は、本体ケースと、この本体ケースに設けた表示部と、この表示部に接続した制御部と、この制御部に接続した位置検出部、地図データ記憶部、入力部とを備え、前記入力部は、特定行動の実行時間帯と、その実行時の選択種類物を入力する構成とし、前記制御部は、前記実行時間帯において、前記表示部に、近傍の選択物種類を表示する構成とし、これにより所期の目的を達成するものである。
【発明の効果】
【０００７】
以上のように本発明は、本体ケースと、この本体ケースに設けた表示部と、この表示部に接続した制御部と、この制御部に接続した位置検出部、地図データ記憶部、入力部とを備え、前記入力部は、特定行動の実行時間帯と、その実行時の選択種類物を入力する構成とし、前記制御部は、前記実行時間帯において、前記表示部に、近傍の選択種類物を表示する構成としたものであるので、利便性を高めることができる。
【０００８】
すなわち、本発明によれば、前記入力部により、特定行動の実行時間帯と、その実行時の選択種類物を入力する構成とし、前記制御部は、前記実行時間帯において、前記表示部に、近傍の選択種類物を表示する構成としたものであるので、目的地に進行中に、前記実行時間帯になると、前記表示部に、近傍の選択種類物を表示され、この表示をみて適切な行動が取れるので、極めて利便性の高いものとなる。
【図面の簡単な説明】
【０００９】
【図１】本発明の一実施形態に関するナビゲーション装置を自動車に装着した状態を示す側面図
【図２】同ナビゲーション装置の正面図
【図３】同ナビゲーション装置の制御ブロック図
【図４】同ナビゲーション装置の正面図
【図５】同ナビゲーション装置の正面図
【図６】同ナビゲーション装置の制御フローチャート
【図７】同ナビゲーション装置の制御フローチャート
【発明を実施するための形態】
【００１０】
（実施の形態１）
図１において、１は自動車で、その車内２の前方にはナビゲーション装置３が装着されている。
【００１１】
ナビゲーション装置３は、図２、図３に示すように、本体ケース４と、この本体ケース４に設けた表示部５と、この表示部５に接続した制御部６と、この制御部６に接続したＧＰＳを含む位置検出部（図示せず）、地図データ記憶部７、入力部８、音声出力部９とを備えている。
【００１２】
前記入力部８は、周知のごとく、目的地検索のための入力を行うことができるが、本実施形態では、それ以外でも図３のごとく、例えば表示部５に表出させた入力キー（例えば下記１０ａ、１０ｂ、１０ｃ）により、特定行動の実行時間帯と、その実行時の選択種類物を入力することができる。
一例として、図４では、特定行動として昼食をとることにした時について、説明する。
【００１３】
この時には、表示部５の左側の上下方向には、洋食、和食、イタリアンと、食事のメニューが順に並んでおり、それぞれのメニューには、その左側に昼食の時間帯、次に表示優先度が順次表示されている。
【００１４】
つまり、本実施形態においては、目的地設定の後の運転中に、前記昼食の時間帯になった時には、現在位置の近傍に存在する食堂を、表示部５に表示させようとしているのである。
【００１５】
この図４においては、使用者は、洋食の優先度を高めるべく高入力キー１０ａを押し、また和食は優先度を低くしても表示させたいということで低入力キー１０ｂを押し、さらにイタリアンは非表示としたいので、非表示入力キー１０ｃを押した状態を示している。
【００１６】
このような設定を行った後に、当初に設定した目的地に向かって運転している時に、図４で設定した表示時刻、つまり１１時３０分になると、図５のごとく、表示部５の地図上には、洋食を食することができる食堂１１の地点と、そこまでの到達距離と、到達時間が表示され、また和食を食することができる食堂１２の地点も、そこまでの到達距離と、到達時間が表示されるようになっている。
【００１７】
運転者は事前にこのような情報を提供されるので、その時の気分により、洋食を食することができる食堂１１、または和食を食することができる食堂１２に向かうことができ、極めて利便性の高いものとなる。
【００１８】
なお、この図５において、現在の位置は矢印１３で示されており、この位置の近傍に、洋食を食することができる食堂１１が多く存在する場合、例えば３個以上存在する場合には、和食を食することができる食堂１２は表示されないようになっている。
【００１９】
つまり、初期の設定時に、洋食の優先度を高めるべく高入力キー１０ａを押し、また和食は優先度を低くしても表示させたいということで低入力キー１０ｂを押しているので、その表示優先度が反映されることになる。
ただし、今回は、この近傍に、洋食を食することができる食堂１１が１箇所しかないので、和食を食することができる食堂１２も表示されることとなっている。
【００２０】
図６、図７は、以上の動作を説明するための制御フローチャートを示しており、（Ｓ１）で既に目的地設定、および図４の昼食に関する入力も完了した状態から説明している。
【００２１】
（Ｓ２）では、制御部６により、地図データ記憶部７から、表示部５の表示範囲内におけるランドマークデータの読み取り、つまり洋食を食することができる食堂１１と、和食を食することができる食堂１２のデータが読み取られている。
（Ｓ３）では、制御部６により、表示部５の表示範囲内、つまり１１時３０分〜１２時３０分か否かを、継続的に判定している。
【００２２】
（Ｓ４）では、制御部６により、食堂１１、１２までの距離を計算し、（Ｓ５）で食堂１１、１２までの所要時間を計算し、（Ｓ６）で表示部５に食堂１１、１２と、そこまでの距離と、所要時間を、表示させる。
もちろん、この間にも運転を続けていると、食堂１１、１２情報は更新されていく。
【００２３】
図７は表示部５の表示範囲、つまり１１時３０分〜１２時３０分から、過ぎていく場合の制御フローチャートを示しており、（Ｓ７）では、まだ時間内なので、図２の（Ｓ２）と同じく表示部５の表示範囲内におけるランドマークデータを読み取り、つまり洋食を食することができる食堂１１と、和食を食することができる食堂１２のデータが読み取られている。
また、（Ｓ８）では、図６の（Ｓ３）と同じく、表示部５の表示範囲内、つまり１１時３０分〜１２時３０分か否かを、継続的に判定している。
そして、時間外になると（Ｓ９）において、表示部５から食堂１１、１２に関する情報を消去するようになっている。
【産業上の利用可能性】
【００２４】
以上のように本発明は、本体ケースと、この本体ケースに設けた表示部と、この表示部に接続した制御部と、この制御部に接続した位置検出部、地図データ記憶部、入力部とを備え、前記入力部は、特定行動の実行時間帯と、その実行時の選択種類物を入力する構成とし、前記制御部は、前記実行時間帯において、前記表示部に、近傍の選択種類物を表示する構成としたものであるので、利便性を高めることができる。
【００２５】
すなわち、本発明によれば、前記入力部により、特定行動の実行時間帯と、その実行時の選択種類物を入力する構成とし、前記制御部は、前記実行時間帯において、前記表示部に、近傍の選択種類物を表示する構成としたものであるので、目的地に進行中の時に、前記実行時間帯になると、前記表示部に、近傍の選択物種類物を表示され、この表示をみて適切な行動が取れるので、極めて利便性の高いものとなる。
したがって、カーナビゲーション装置などへの活用が広く期待される。
【符号の説明】
【００２６】
１  自動車
２  車内
３  ナビゲーション装置
４  本体ケース
５  表示部
６  制御部
７  地図データ記憶部
８  入力部
９  音声出力部
１０ａ、１０ｂ、１０ｃ  入力キー
１１、１２  食堂
１３  矢印
【図１】
2011203165.tif 000003
【図２】
2011203165.tif 000004
【図３】
2011203165.tif 000005
【図４】
2011203165.tif 000006
【図５】
2011203165.tif 000007
【図６】
2011203165.tif 000008
【図７】
2011203165.tif 000009